(57)【特許請求の範囲】
【請求項１】
異なる種別の複数のネットワーク装置の監視及び制御を行う装置監視制御システムであって、
前記複数のネットワーク装置の内の１つを代表装置とし、当該代表装置内にネットワーク装置の１又は複数を当該代表装置のユニットとして収容し、この収容されるユニット内に、ネットワーク装置の所定処理を行うパッケージを内包するスロットを１又は複数包括する従属関係を示す従属関係情報を用いて代表装置を監視制御する監視制御装置を備え、
前記監視制御装置は、端末機から前記ネットワーク装置を制御する制御オーダ情報が通知された際に、当該制御オーダ情報で指示される制御先ネットワーク装置を前記従属関係情報で示す制御先内容データと、当該制御先内容データで示されるユニットのスロットに前記パッケージを登録する制御内容を示す制御内容情報とを生成し、当該制御先内容データで示されるユニットのスロットである制御対象を特定し、この特定された制御対象に対して前記制御内容情報を実行する命令を行なう制御コマンドを生成し、当該制御コマンドを当該制御先ネットワーク装置へ通知する
ことを特徴とする装置監視制御システム。
【請求項２】
前記端末機は、情報を表示する表示手段を備え、当該表示手段に、前記監視制御装置で構築される前記代表装置を、当該代表装置に包括される前記ユニット及び前記パッケージと共に表示する
ことを特徴とする請求項１に記載の装置監視制御システム。
【請求項３】
前記監視制御装置は、前記制御先内容データで示される代表装置のユニットにおけるスロットに、前記制御内容情報で指示されるパッケージを登録することを示す構成管理情報として対応テーブルに格納し、
前記複数のネットワーク装置から当該ネットワーク装置の障害や状態変化を示す警報やイベントを示す警報情報が前記代表装置を介して通知又は直接通知された際に、当該警報情報で示される障害やイベント発生部位を前記構成管理情報を基に表示情報に変換して前記端末機へ通知し、当該端末機は、当該通知された前記表示情報で示されるネットワーク装置の障害発生部位を前記表示手段に表示する
ことを特徴とする請求項２に記載の装置監視制御システム。
【請求項４】
前記監視制御装置は、前記代表装置へ前記制御コマンドを送信し、前記代表装置は、前記送信された制御コマンドを受信後に当該制御コマンドを、当該代表装置に従属された制御先ネットワーク装置へ通知する
ことを特徴とする請求項１〜３の何れか１項に記載の装置監視制御システム。
【請求項５】
前記監視制御装置は、前記制御先内容データの内、装置を特定する情報と宛先アドレスの対応テーブルとをもとに、前記代表装置に従属する前記ユニット又は前記パッケージに対応する制御先ネットワーク装置を判断し、この判断された制御先ネットワーク装置へ、前記制御コマンドを直接通知する
ことを特徴とする請求項１〜３の何れか１項に記載の装置監視制御システム。
【請求項６】
異なる種別の複数のネットワーク装置の監視及び制御を行う監視制御装置による装置監視制御方法であって、
前記監視制御装置は、
前記複数のネットワーク装置の内の１つを代表装置とし、当該代表装置内にネットワーク装置の１又は複数を当該代表装置のユニットとして収容し、この収容されるユニット内に、ネットワーク装置の所定処理を行うパッケージを内包するスロットを１又は複数包括する従属関係を示す従属関係情報を用いて代表装置を監視制御するステップと、
端末機から前記ネットワーク装置を制御する制御オーダ情報が通知された際に、当該制御オーダ情報で指示される制御先ネットワーク装置を前記従属関係情報で示す制御先内容データと、当該制御先内容データで示されるユニットのスロットに前記パッケージを登録する制御内容を示す制御内容情報とを生成し、当該制御先内容データで示されるユニットのスロットである制御対象を特定し、この特定された制御対象に対して前記制御内容情報を実行する命令を行なう制御コマンドを生成し、当該制御コマンドを当該制御先ネットワーク装置へ通知するステップと、
を実行することを特徴とする装置監視制御方法。
【請求項７】
前記端末機は、情報を表示する表示手段を備え、当該表示手段に、前記監視制御装置で構築される前記代表装置を、当該代表装置に包括される前記ユニット及び前記パッケージと共に表示するステップ
を実行することを特徴とする請求項６に記載の装置監視制御方法。
【請求項８】
前記監視制御装置は、
前記制御先内容データで示される代表装置のユニットにおけるスロットに、前記制御内容情報で指示されるパッケージを登録することを示す構成管理情報として対応テーブルに格納するステップと、
前記複数のネットワーク装置から当該ネットワーク装置の障害や状態変化を示す警報やイベントを示す警報情報が前記代表装置を介して通知又は直接通知された際に、当該警報情報で示される障害やイベント発生部位を前記構成管理情報を基に表示情報に変換して前記端末機へ通知するステップと、
前記端末機は、当該通知された前記表示情報で示されるネットワーク装置の障害発生部位を前記表示手段に表示するステップと
を実行することを特徴とする請求項７に記載の装置監視制御方法。
【発明の詳細な説明】
【技術分野】
【０００１】
本発明は、複数の異なる種別のネットワーク装置を備えて構成されるネットワークにおいて、各ネットワーク装置を監視及び制御する装置監視制御システム及び装置監視制御方法に関する。
【背景技術】
【０００２】
従来、ネットワークのネットワーク装置｛ＮＥ（ネットワークエレメント）という｝と、当該ＮＥを監視及び制御するための装置監視制御システムとしてのオペレーションシステム（ＯｐＳ）との双方は、ＮＥを提供するベンダによってセットで開発されている。通信キャリア（キャリア）は、それらＮＥ及びＯｐＳをセットで導入してきた。
【０００３】
この結果、キャリアのネットワークには、多数の異なるベンダのＯｐＳが存在することになり、ＯｐＳを操作するオペレータは、各ベンダのＯｐＳを習熟した上で操作する必要がある。例えば、図１１に示すように、ベンダＡ社製のＮＥ１についてはベンダＡ社製のＯｐＳ１を用い、ベンダＢ社製のＮＥ２についてはベンダＢ社製のＯｐＳ２を用いる必要があるので、オペレータは、パーソナルコンピュータ（パソコン）等の端末機１０により、各ベンダのＯｐＳ１〜ＯｐＳ３の操作を習熟した上でＮＥ１〜ＮＥ３への設定入力等を行う必要がある。
【０００４】
一方で、非特許文献１のようなＯｐＳをマルチベンダ対応とする技術もある。例えば、図１２に示すように、オペレータが操作する端末機１０からの設定入力を、ＯｐＳ１１の共通機能１２においてベンダ非依存で受け付ける。また、ＯｐＳ１１において、Ａ社，Ｂ社，Ｃ社製の各ＮＥ１〜ＮＥ３からのイベント通知を出力したりする共通機能１２と、各ＮＥ１〜ＮＥ３を接続するためのアダプタ１３ａ〜１３ｃとを、各ベンダのＮＥ１〜ＮＥ３毎に設ける技術がある。このような１つのＯｐＳ１１によれば、オペレータは、端末機１０による各ベンダのＯｐＳの操作を習熟する必要がないので、各ベンダのＮＥ１〜ＮＥ３への設定入力等を容易に行うことができる。
【先行技術文献】
【特許文献】
【０００５】
【特許文献１】特開２０１４−１３２３７８号公報
【非特許文献】
【０００６】
【非特許文献１】瀬戸三郎、他２名、「ネットワークサービスを支えるサービスアクティベーション技術」、ＮＴＴ技術ジャーナル ２００５．８、[online]、[平成２８年１月１２日検索]、インターネット、<URL: http://www.ntt.co.jp/journal/0508/files/jn200508018.pdf>
【発明の概要】
【発明が解決しようとする課題】
【０００７】
しかし、上述した図１１に示したようなベンダ毎にＯｐＳ１〜ＯｐＳ３を導入する技術においては、次のような問題がある。
（１）オペレータの端末機１０への表示やオペレータによる操作方法が、ベンダのＯｐＳ１〜ＯｐＳ３毎に統一されていないので、オペレータの負担が増大する。
（２）ＯｐＳ用のサーバのＥＯＬ(End of Life)時等に、ベンダのＯｐＳ１〜ＯｐＳ３毎に更改開発が必要となるので、開発費が増大する。
【０００８】
更に、図１２に示したようなマルチベンダ対応としてベンダ毎に接続アダプタ１３ａ〜１３ｃを開発する技術は、次のような問題がある。
（３）ＮＥの仕様変更が生じたとき、ＮＥの仕様を反映したアダプタの開発が必要となる。このため、開発の費用や期間が掛かる。
（４）ネットワークに新機種のＮＥを設置する場合、新たなアダプタの開発が必要となる。このため、開発の費用や期間が掛かる。
【０００９】
これら（１）〜（４）の問題は、特許文献１のＯｐＳ装置によって解消することが可能である。即ち、ＯｐＳ装置では、ＨＭＩ(Human Machine Interface)や監視及び制御ロジックを汎用化し、ＮＥ固有処理を定義ファイルとして簡易に実装することにより、次のような効果を得ることができる。
【００１０】
（１ａ）オペレータの端末機１０への表示やオペレータによる制御方法がベンダに依存することなく統一され、オペレータの負担が軽減する。
（２ａ）ＯｐＳサーバのＥＯＬに関して、ベンダＯｐＳ毎に更改開発する必要がなくなるので、開発費が増大することがなくなる。
（３ａ）装置の仕様（監視及び制御方法）に変更が生じた際に、ＯｐＳのプログラム改修及び再コンパイルは不要でありＣＳＶ(Comma Separated Values)ファイルの編集のみ、若しくは、ＣＳＶファイルの編集及びスクリプトの追加や変更で対応可能である。このため、開発費用を減少及び開発期間を短縮することができる。
（４ａ）新たな装置や機種に対応する場合、ＣＳＶファイル及びスクリプトファイルの作成のみで対応できるため、開発費用を減少及び開発期間を短縮することができる。
【００１１】
しかし、各ＮＥ間に後述の従属関係がある複数ＮＥを管理する場合、従来技術では、オペレータはそれら従属関係を意識したオペレーションが必要でありオペレータへの負担が増大し、また、ＯｐＳはそれら従属関係を管理・制御するための処理が必要となり、開発費や開発期間が増大するという課題があった。なお、従属関係とは、例えばＮＥ１の下に従属して（ＮＥ１に収容される構成として）別装置種別のＮＥ２が存在し、更にＮＥ１の下に従属してＮＥ１，２とも異なる別装置種別のＮＥ３〜５が存在するような構成である。この場合、ＮＥ１とＮＥ２の関係をＤＢ(DataBase)内で管理したり、装置種別毎のグループ管理を実現したり、ＮＥ２の登録時にＮＥ１の存在チェック処理を実施する等の作り込みが必要となる。
【００１２】
本発明は、このような事情に鑑みてなされたものであり、従属関係のある複数のネットワーク装置の管理を、オペレータ負担の増大、及び開発費や開発期間の増大無しに実現することができる装置監視制御システム及び装置監視制御方法を提供することを課題とする。
【課題を解決するための手段】
【００１３】
上記課題を解決するための手段として、請求項１に係る発明は、異なる種別の複数のネットワーク装置の監視及び制御を行う装置監視制御システムであって、前記複数のネットワーク装置の内の１つを代表装置とし、当該代表装置内にネットワーク装置の１又は複数を当該代表装置のユニットとして収容し、この収容されるユニット内に、ネットワーク装置の所定処理を行うパッケージを内包するスロットを１又は複数包括する従属関係を示す従属関係情報を用いて代表装置を監視制御する監視制御装置を備え、前記監視制御装置は、端末機から前記ネットワーク装置を制御する制御オーダ情報が通知された際に、当該制御オーダ情報で指示される制御先ネットワーク装置を前記従属関係情報で示す制御先内容データと、当該制御先内容データで示されるユニットのスロットに前記パッケージを登録する制御内容を示す制御内容情報とを生成し、当該制御先内容データで示されるユニットのスロットである制御対象を特定し、この特定された制御対象に対して前記制御内容情報を実行する命令を行なう制御コマンドを生成し、当該制御コマンドを当該制御先ネットワーク装置へ通知することを特徴とする装置監視制御システムである。
【００１４】
請求項６に係る発明は、異なる種別の複数のネットワーク装置の監視及び制御を行う監視制御装置による装置監視制御方法であって、前記監視制御装置は、前記複数のネットワーク装置の内の１つを代表装置とし、当該代表装置内にネットワーク装置の１又は複数を当該代表装置のユニットとして収容し、この収容されるユニット内に、ネットワーク装置の所定処理を行うパッケージを内包するスロットを１又は複数包括する従属関係を示す従属関係情報を用いて代表装置を監視制御するステップと、端末機から前記ネットワーク装置を制御する制御オーダ情報が通知された際に、当該制御オーダ情報で指示される制御先ネットワーク装置を前記従属関係情報で示す制御先内容データと、当該制御先内容データで示されるユニットのスロットに前記パッケージを登録する制御内容を示す制御内容情報とを生成し、当該制御先内容データで示されるユニットのスロットである制御対象を特定し、この特定された制御対象に対して前記制御内容情報を実行する命令を行なう制御コマンドを生成し、当該制御コマンドを当該制御先ネットワーク装置へ通知するステップと、を実行することを特徴とする装置監視制御方法である。
【００１５】
上記請求項１の構成及び請求項６の方法によれば、複数の管理対象ネットワーク装置間に従属関係がある場合、これら複数の装置を、１つの代表装置と当該代表装置内の仮想的なユニット、パッケージとして一元管理できる。このため、ネットワーク装置間に従属関係がある場合でもそれら従属関係を意識した処理ロジックやデータ管理に関する開発は不要であり、一般的な装置・ユニット・パッケージ構成管理により複数の従属関係を持った装置を一元管理可能である。このため、従属関係のある複数のネットワーク装置の管理を、オペレータ負担の増大、及び開発費や開発期間の増大無しに実現することができる。
【００１６】
請求項２に係る発明は、前記端末機は、情報を表示する表示手段を備え、当該表示手段に、前記監視制御装置で構築される前記代表装置を、当該代表装置に包括される前記ユニット及び前記パッケージと共に表示することを特徴とする請求項１に記載の装置監視制御システムである。
【００１７】
請求項７に係る発明は、前記端末機は、情報を表示する表示手段を備え、当該表示手段に、前記監視制御装置で構築される前記代表装置を、当該代表装置に包括される前記ユニット及び前記パッケージと共に表示するステップを実行することを特徴とする請求項６に記載の装置監視制御方法である。
【００１８】
上記請求項２の構成及び請求項７の方法によれば、端末機の表示手段に、複数のネットワーク装置間の従属関係が、装置、ユニット及びパッケージの従属関係として一元的に表示される。このため、オペレータが、異なるベンダのネットワーク装置や当該装置の通信等の処理装置の登録や改変操作を容易に行なうことができる。
【００１９】
請求項３に係る発明は、前記監視制御装置は、前記制御先内容データで示される代表装置のユニットにおけるスロットに、前記制御内容情報で指示されるパッケージを登録することを示す構成管理情報として対応テーブルに格納し、前記複数のネットワーク装置から当該ネットワーク装置の障害や状態変化を示す警報やイベントを示す警報情報が前記代表装置を介して通知又は直接通知された際に、当該警報情報で示される障害やイベント発生部位を前記構成管理情報を基に表示情報に変換して前記端末機へ通知し、当該端末機は、当該通知された前記表示情報で示されるネットワーク装置の障害発生部位を前記表示手段に表示することを特徴とする請求項２に記載の装置監視制御システムである。
【００２０】
請求項８に係る発明は、前記監視制御装置は、前記制御先内容データで示される代表装置のユニットにおけるスロットに、前記制御内容情報で指示されるパッケージを登録することを示す構成管理情報として対応テーブルに格納するステップと、前記複数のネットワーク装置から当該ネットワーク装置の障害や状態変化を示す警報やイベントを示す警報情報が前記代表装置を介して通知又は直接通知された際に、当該警報情報で示される障害やイベント発生部位を前記構成管理情報を基に表示情報に変換して前記端末機へ通知するステップと、前記端末機は、当該通知された前記表示情報で示されるネットワーク装置の障害発生部位を前記表示手段に表示するステップとを実行することを特徴とする請求項７に記載の装置監視制御方法である。
【００２１】
上記請求項３の構成及び請求項８の方法によれば、オペレータが、障害や状態変化イベントの発生したネットワーク装置やパッケージを容易に特定することができる。
【００２２】
請求項４に係る発明は、前記監視制御装置は、前記代表装置へ前記制御コマンドを送信し、前記代表装置は、前記送信された制御コマンドを受信後に当該制御コマンドを、当該代表装置に従属された制御先ネットワーク装置へ通知することを特徴とする請求項１〜３の何れか１項に記載の装置監視制御システムである。
【００２３】
この構成によれば、オペレータによる端末機からの制御操作による制御オーダ情報に応じて、制御先ネットワーク装置へ制御命令を行う制御コマンドを、制御先内容の従属関係情報で示される代表装置を経由して制御先ネットワーク装置へ適正に通知することができる。よって、制御先ネットワーク装置は、制御コマンドに応じた処理を行うことができる。
【００２４】
請求項５に係る発明は、前記監視制御装置は、前記制御先内容データの内、装置を特定する情報と宛先アドレスの対応テーブルとをもとに、前記代表装置に従属する前記ユニット又は前記パッケージに対応する制御先ネットワーク装置を判断し、この判断された制御先ネットワーク装置へ、前記制御コマンドを直接通知することを特徴とする請求項１〜３の何れか１項に記載の装置監視制御システムである。
【００２５】
この構成によれば、オペレータによる端末機からの制御操作による制御オーダ情報に応じて、制御先ネットワーク装置へ制御命令を行う制御コマンドを、制御先内容データの従属関係情報で示される代表装置に従属するネットワーク装置へ直接通知することができる。このため通知経路の単純化を図ることができる。よって、制御先ネットワーク装置は、制御コマンドに応じた処理を行うことができる。
【発明の効果】
【００２６】
本発明によれば、従属関係のある複数のネットワーク装置の管理を、オペレータ負担の増大、及び開発費や開発期間の増大無しに実現することができる装置監視制御システム及び装置監視制御方法を提供することができる。
【図面の簡単な説明】
【００２７】
【図１】本発明の第１実施形態に係る装置監視制御システムの構成を示すブロック図である。
【図２】第１実施形態の装置監視制御システムの各ＮＥのパッケージｐを内包するユニットｕ及びスロットｓｔの構成を示すブロック図である。
【図３】第１実施形態の装置監視制御システムの監視制御装置により構築される代表ＮＥが備える一元構成を示すブロック図である。
【図４】第１実施形態の装置監視制御システムによる各ＮＥの制御動作を説明するためのフローチャートである。
【図５】第１実施形態の装置監視制御システムによる各ＮＥの制御動作を説明するためのブロック図である。
【図６】第１実施形態の装置監視制御システムによる各ＮＥの他の制御動作を説明するためのブロック図である。
【図７】第１実施形態の装置監視制御システムによる各ＮＥの監視動作を説明するためのフローチャートである。
【図８】第１実施形態の装置監視制御システムによる各ＮＥの監視動作を説明するためのブロック図である。
【図９】本発明の第２実施形態に係る装置監視制御システムによる各ＮＥの制御動作を説明するためのブロック図である。
【図１０】第２実施形態の装置監視制御システムによる各ＮＥの監視動作を説明するためのブロック図である。
【図１１】従来技術の説明図である。
【図１２】従来技術の他の説明図である。
【発明を実施するための形態】
【００２８】
以下、本発明の実施形態を、図面を参照して説明する。
＜第１実施形態の構成＞
図１は、本発明の第１実施形態に係る装置監視制御システムの構成を示すブロック図である。
図１に示す装置監視制御システム２０は、監視制御装置３０と、第１〜第６ＮＥ（ネットワークエレメント＝ネットワーク装置）４１〜４６と、オペレータが使用するパソコン等のディスプレイ５０ａを備える端末機５０とを備えて構成されている。監視制御装置３０は、共通部３１と、装置ＩＦ（インタフェース）部３２と、対応テーブル３３ａを保持する定義ファイル部３３とを備えて構成されている。
【００２９】
各ＮＥ４１〜４６は、同一ベンダ、若しくは異なるベンダが提供するネットワーク装置であり、例えば第１ＮＥ４１はベンダＡ社製のネットワーク装置であり、第２ＮＥ４２はベンダＢ社製、第３ＮＥ４３〜４６はベンダＣ社製のネットワーク装置である。各ＮＥ４１〜４６は、前述した従属関係があるとする。
【００３０】
各ＮＥは、図２（ａ）及び（ｂ）に示すＮＥ４１，４２のように、ユニットｕを備え、このユニットｕの１つ又は複数（例えば４つ）のスロットｓｔ１〜ｓｔ４内に、通信等の所定処理を行う処理装置としてのパッケージｐを備える。また、図２（ｃ）〜（ｆ）に示すＮＥ４３〜ＮＥ４６のように、ユニット、パッケージが存在しない装置でもよい。
【００３１】
図１に示す監視制御装置３０は、各ＮＥ４１〜４６の監視や制御を行うものである。まず、その制御に係る構成について説明する。
共通部３１は、ＮＥ４１〜４６の内、１つのＮＥ（例えば第１ＮＥ４１）を代表ＮＥとし、この代表ＮＥ４１にＮＥ４１自体のユニットｕ、及び、ＮＥ４２のユニットｕを包括（収容）し、この包括された各ユニットｕ内に１又は複数のスロットｓｔを包括し、また、ＮＥ４３〜ＮＥ４６を代表ＮＥ４１の仮想的なユニットｕ内のパッケージｐとして構成されるといった仮想的な従属関係を有する１つの代表ＮＥとして管理する。この際に、共通部３１のソフトウェア構成自体は、従来の装置毎に装置、ユニットｕ、パッケージｐという従属関係に応じた処理ロジックで構築される。なお、装置間の従属関係を意識した新たな処理ロジックは開発不要である。また、代表ＮＥ（代表装置）は複数あってもよく、更に、代表ＮＥ＋個々の物理的な装置はそのままとするといった形態も可能である。
【００３２】
上述した１つの代表ＮＥが他のＮＥとの従属関係を有することを示す従属関係情報は、端末機５０でも共用される。従って、端末機５０の表示手段としてのディスプレイ５０ａ（図５参照）に、代表ＮＥ４１の従属関係の構成内容を一元的に表示することが可能となっている。
【００３３】
但し、ユニットｕ内に１つのパッケージｐを備える構成の各ＮＥ４３〜ＮＥ４６｛図２（ｃ）〜（ｆ）｝、又はユニットｕ、パッケージｐを備えない単機能の装置等の場合は、図３に示すように、それらＮＥ４３〜ＮＥ４６を纏めて１つのユニットｕ３とし、この１つのユニットｕ３内に、ＮＥ４３〜ＮＥ４６の各々に対応する４つのスロットｓｔ１〜ｓｔ４が包括されるといった構成としてもよい。
【００３４】
例えば、共通部３１（図１）は、図３に示すように、第１ＮＥ４１を代表ＮＥとし、この代表ＮＥ４１内に、第１ＮＥ４１のユニットｕを第１ユニットｕ１とし、第２ＮＥ４２のユニットｕを第２ユニットｕ２とし、第３ＮＥ４３〜第６ＮＥ４６を一纏めに第３ユニットｕ３として包括する。更に、第１ユニットｕ１に、複数のスロットｓｔ１〜ｓｔ４を包括し、第２ユニットｕ２に、複数のスロットｓｔ１〜ｓｔ４を包括する。更には、第３ユニットｕ３に、第３ＮＥ４３をパッケージｐ９として包括し、第４ＮＥ４４をパッケージｐ１０として包括し、第５ＮＥ４５をパッケージｐ１１として包括し、第６ＮＥ４６をパッケージｐ１２として包括することにより、代表ＮＥ４１における従属関係情報を構築する。
【００３５】
第１〜第３ユニットｕ１〜ｕ３の各スロットｓｔ１〜ｓｔ４には、パッケージｐが内包される。ユニットｕ１〜ｕ３毎にパッケージｐを内包するスロット番号が昇順ｓｔ１〜ｓｔ４に付けられる。なお、１つのユニットのスロットｓｔ１〜ｓｔ４には、パッケージ番号が順番とされてパッケージが内包されるが、本発明では、説明の都合上、各ユニットｕ１〜ｕ３のパッケージ番号を第１ユニットｕ１から第３ユニットｕ３まで昇順となるｐ１〜ｐ１２とした。
【００３６】
図１に戻って、共通部３１は、オペレータの操作に応じた端末機５０からのＮＥ４１〜４６に対する制御オーダ情報が通知された際に、各ＮＥ４１〜４６の従属関係、及び、制御内容を表す制御キー情報を生成する。
【００３７】
例えば、オペレータが端末機５０において図３に示す第２ＮＥ４２である第２ユニットｕ２のスロットｓｔ１にパッケージｐ５を登録する操作を行い、この操作に応じた制御オーダ情報が図１に示す共通部３１に通知されたとする。共通部３１は、その制御オーダ情報の内容に対応する制御キー情報を生成する。この制御キー情報は、第２ＮＥ４２のスロットｓｔ１（図３参照）にパッケージｐ５を登録する制御内容の情報（制御内容情報）と、制御先ＮＥ部位を従属関係情報で示す制御先内容のデータ（制御先内容データ）「ＭＥＩＤ＝１／ユニットＮｏ＝２／スロットＮｏ＝１」とを表す情報となる。
【００３８】
この制御先内容データにおいて、ＭＥＩＤ(identification)のＭＥは、マネージメントエレメント（管理エレメント）である。上述したＭＥＩＤ＝１は第１ＮＥ４１を表し、ユニットＮｏ＝２は第２ＮＥ４２を表し、スロットＮｏ＝１はスロットｓｔ１を表す。つまり、「ＭＥＩＤ＝１／ユニットＮｏ＝２／スロットＮｏ＝１」を含む制御キー情報は、代表装置である第１ＮＥ４１に収容される第２ＮＥ４２のスロットｓｔ１にパッケージｐ５を登録することを表し、本対応関係を構成管理情報として管理する。但し、構成管理情報は、定義ファイル部３３の対応テーブル３３ａに格納されて管理される。
【００３９】
共通部３１で生成された制御キー情報は、装置ＩＦ部３２を介して定義ファイル部３３へ通知される。定義ファイル部３３は、制御先内容データと構成管理情報から実際の制御対象（本例だと第２ＮＥ４２のスロットｓｔ１）を特定し、制御内容情報と対応テーブル３３ａから制御コマンドを生成する。なお、対応テーブル３３ａには、制御内容情報と制御コマンドとが対応付けられている。制御コマンドは、制御キー情報で表される実際のＮＥ４１〜４６に対する制御内容情報を実行するための命令コマンドである。定義ファイル部３３は、制御キー情報が通知された際に、対応テーブル３３ａを参照し、その制御キー情報に対応付けられた制御コマンドを生成する。
【００４０】
例えば、制御キー情報が上述した例の制御内容情報及び制御先内容データを有する場合、定義ファイル部３３は、対応テーブル３３ａから、第２ＮＥ４２のスロットｓｔ１にパッケージｐ５を登録することを命令する制御コマンドを検索して生成する。この生成された制御コマンドは、装置ＩＦ部３２へ出力される。
【００４１】
装置ＩＦ部３２は、制御コマンドにプロトコル処理等を行った後、制御コマンドを代表ＮＥ（例えば第１ＮＥ４１）へ通知する。なお、本実施形態では代表装置であるＮＥ４１が他ＮＥを制御するためのＩＦを監視制御装置３０へ提供している例である。本例の場合、監視制御装置３０から制御コマンドを受け付けたＮＥ４１は、当該制御コマンドの内容をもとに第２ＮＥ４２のスロットｓｔ１（図３参照）にパッケージｐ５を登録する処理を実行する。
【００４２】
次に、各ＮＥ４１〜４６の監視に係る構成について説明する。本実施形態では、代表ＮＥ４１以外の各ＮＥ４２〜４６で障害が発生した場合、代表ＮＥ４１がＯｐＳへ当該障害を示す警報を通知する例を示す。
代表ＮＥ４１が各ＮＥ４２〜４６の障害を検知した場合、障害発生部位を示す警報デバイスＩＤを生成し、この警報デバイスＩＤを含めて警報情報を装置ＩＦ部３２へ送信する。この送信された警報デバイスＩＤは、装置ＩＦ部３２から定義ファイル部３３へ通知される。但し、警報デバイスＩＤは、障害発生部位の固有情報であり、例えば各ＮＥ４１〜４６における各パッケージ番号＝ｐ１〜ｐ１２（図３）が予め対応付けられて、ＮＥ４１の図示せぬ記憶装置に保存されている。
【００４３】
定義ファイル部３３の対応テーブル３３ａの構成管理情報には、警報デバイスＩＤと警報キー情報とが対応付けられている。定義ファイル部３３は、警報デバイスＩＤが通知された際に、対応テーブル３３ａの構成管理情報を参照し、その警報デバイスＩＤに対応付けられた警報キー情報を生成する。
【００４４】
例えば、第６ＮＥ４６のパッケージｐ１２（図３）に障害が発生した場合、第６ＮＥ４６は、警報デバイスＩＤ＝ｐ１２を代表ＮＥ４１へ送出し、代表ＮＥ４１は、警報デバイスＩＤ＝ｐ１２を含む警報情報を装置ＩＦ部３２へ送信する。この送信された警報デバイスＩＤ＝ｐ１２は、装置ＩＦ部３２から定義ファイル部３３へ通知される。なお、代表ＮＥ４１が第１〜第６ＮＥ４１〜４６を監視しており、例えば第６ＮＥ４６に異常が発生した場合に、その異常を検知してもよい。
【００４５】
定義ファイル部３３は、対応テーブル３３ａの構成管理情報を参照し、警報デバイスＩＤ＝ｐ１２に対応付けられた次の警報キー情報を生成する。即ち、警報キー情報は「ＭＥＩＤ＝１／ユニットＮｏ＝３／スロットＮｏ＝４」となる。図３を参照するように、ＭＥＩＤ＝１は第１ＮＥ４１を表し、ユニットＮｏ＝３のスロットＮｏ＝４は第６ＮＥ４６のパッケージｐ１２を表す。このように定義ファイル部３３で生成された警報キー情報は、装置ＩＦ部３２を介してイベント通知として共通部３１へ送出されるが、その際には仮想的にＮＥ４１のユニット３のスロット４に障害が発生したことを示す情報として通知される。
【００４６】
共通部３１は、警報キー情報（表示情報）としてのイベント通知を端末機５０へ送信し、端末機５０は、ディスプレイ５０ａに警報キー情報で示される警報特定部位を表示する。例えば、警報キー情報が「ＭＥＩＤ＝１／ユニットＮｏ＝３／スロットＮｏ＝４」であれば、第６ＮＥ４６のパッケージｐ１２に障害が発生したことがディスプレイ５０ａに表示される。なお、イベント通知には、上述した警報デバイスＩＤや警報キー情報以外にも、動作状態を知らせる情報等の各種の情報が組み込まれる。なお、警報キー情報を端末機５０へイベントで通知する形態の他に、端末機５０（＝ブラウザ）から定期的にポーリングして監視制御装置３０から警報を取得して表示する形態もある。
【００４７】
＜第１実施形態の制御動作＞
装置監視制御システム２０による各ＮＥ４１〜４６の制御の動作を、図４に示すフローチャート及び図５に示すブロック図を参照して説明する。
但し、図３を参照して説明したように、第１〜第６ＮＥ４１〜４６のユニットｕ１〜ｕ３と、スロットｓｔ１〜ｓｔ４及びパッケージｐ１〜ｐ１２の従属関係情報に基づく代表ＮＥ４１の従属関係の構成内容が、図５に示すようにディスプレイ５０ａに一元的に表示されているとする。但し、この表示の他、ユニット番号を選択して当該ユニット番号毎に構成図を表示する形態もある。例えば、ユニットｕ２を選択するとユニット２のみの構成図が表示される。この際、ユニット番号はプルダウンで切り替え可能となっている。
【００４８】
図４に示すステップＳ１において、図５に示す端末機５０が、第２ＮＥ４２である第２ユニットｕ２のスロットｓｔ１を選択してパッケージｐ５を登録する操作を、オペレータから受け付けたとする。ステップＳ２において、その操作に応じた制御オーダ情報は、図５に矢印Ｙ１で示すように監視制御装置３０の共通部３１に通知される。
【００４９】
ステップＳ３において、共通部３１は、制御オーダ情報の内容に対応する制御キー情報を生成する。この制御キー情報は、第２ＮＥ４２のスロットｓｔ１にパッケージｐ５を登録する制御内容情報と、制御先ＮＥ部位を示す制御先内容データ「ＭＥＩＤ＝１／ユニットＮｏ＝２／スロットＮｏ＝１」とから成る。言い換えれば、制御キー情報は、第２ＮＥ４２のスロットｓｔ１にパッケージｐ５を登録することを表す。
【００５０】
ステップＳ４において、共通部３１で生成された制御キー情報は、図５に矢印Ｙ２で示すように、装置ＩＦ部３２を介して定義ファイル部３３へ通知される。ステップＳ５において、定義ファイル部３３は、制御キー情報が通知されると、対応テーブル３３ａを参照し、制御対象装置、及び、当該装置内の制御対象部位を特定するとともに、その制御キー情報に対応付けられた制御コマンドを生成する。この場合、第１ＮＥ４１宛ての第２ＮＥ４２のスロットｓｔ１にパッケージｐ５を登録することを命令する制御コマンドが検索されて生成される。
【００５１】
その生成された制御コマンドは、ステップＳ６において、図５に矢印Ｙ３で示すように装置ＩＦ部３２へ出力され、装置ＩＦ部３２でプロトコル処理等が行なわれた後、矢印Ｙ４で示すように代表ＮＥ４１へ送信される。更に矢印Ｙ５で示すように、代表ＮＥ４１から制御対象ＮＥ４２へ制御コマンドに準じた制御内容が通知される。そして、ステップＳ７において、制御対象ＮＥ４２が、当該制御内容で命令される第２ＮＥ４２のスロットｓｔ１にパッケージｐ５を登録する処理を実行する。但し、制御コマンドを受信した代表ＮＥ４１が一端終端して、任意の制御形態で代表ＮＥ４１がＮＥ２を制御する形態がある。
【００５２】
＜他の制御動作＞
【００５３】
次に、第１実施形態の他の制御動作を、図６に示すブロック図を参照して説明する。
図６に示す端末機５０が、第５ＮＥ４５（制御対象ＮＥ）である第３ユニットｕ３のスロットｓｔ３を選択して予め定められた所定処理を実行する操作を、オペレータから受け付けたとする。この操作に応じた制御オーダ情報は、矢印Ｙ１１で示すように監視制御装置３０の共通部３１に通知される。
【００５４】
共通部３１は、制御オーダ情報の内容に対応する制御キー情報を生成する。この制御キー情報は、第５ＮＥ４５に所定処理を実行する制御内容情報と、制御先ＮＥ部位を示す制御先内容データ「ＭＥＩＤ＝１／ユニットＮｏ＝３／スロットＮｏ＝３」とから成る。言い換えれば、制御キー情報は、第１ＮＥ４１を経由して第５ＮＥ４５にアクセスし、この第５ＮＥ４５に所定処理を実行することを表す。
【００５５】
共通部３１で生成された制御キー情報は、矢印Ｙ１２で示すように、装置ＩＦ部３２を介して定義ファイル部３３へ通知される。定義ファイル部３３は、対応テーブル３３ａを参照し、制御対象装置、及び、当該装置内の制御対象部位を特定するとともに、その制御キー情報に対応付けられた制御コマンドを生成する。この場合、第５ＮＥ４５に所定処理を実行することを命令する制御コマンドが検索されて生成される。
【００５６】
その生成された制御コマンドは、矢印Ｙ１３で示すように装置ＩＦ部３２へ出力され、装置ＩＦ部３２でプロトコル処理等が行なわれた後、矢印Ｙ１４で示すように代表ＮＥ４１へ送信され、更に矢印Ｙ１５で示すように制御対象ＮＥ４５へ通知される。そして、制御対象ＮＥ４５が、制御コマンドで命令される所定処理を実行する。
【００５７】
＜第１実施形態の監視動作＞
装置監視制御システム２０による各ＮＥ４１〜４６の監視の動作を、図７に示すフローチャート及び図８に示すブロック図を参照して説明する。
但し、図３を参照して説明したように、第１〜第６ＮＥ４１〜４６のユニットｕ１〜ｕ３と、スロットｓｔ１〜ｓｔ４及びパッケージｐ１〜ｐ１２の従属関係情報に基づく代表ＮＥ４１の従属関係の構成内容が、図８に示すようにディスプレイ５０ａに一元的に表示されているとする。
【００５８】
図７に示すステップＳ１１において、図８に示す第６ＮＥ４６のパッケージｐ１２に障害が発生したとする。ステップＳ１２において、第６ＮＥ４６は、矢印Ｙ３１で示すように、自装置に障害が発生したことを示す警報デバイスＩＤ＝ｐ１２を代表ＮＥ４１へ送出する。この他、代表ＮＥ４１が第１〜第６ＮＥ４１〜４６を常に監視しており、第６ＮＥ４６の障害を検知すると、代表ＮＥ４１が当該ＮＥ４１内に管理している他ＮＥの警報デバイスＩＤリストを基に警報デバイスＩＤ＝ｐ１２を生成してもよい。ステップＳ１３において、代表ＮＥ４１は、矢印Ｙ３２，Ｙ３３で示すように、警報デバイスＩＤ＝ｐ１２を、装置ＩＦ部３２を介して定義ファイル部３３へ通知する。
【００５９】
ステップＳ１４において、定義ファイル部３３は、対応テーブル３３ａを参照し、警報デバイスＩＤ＝ｐ１２に対応付けられた警報キー情報「ＭＥＩＤ＝１／ユニットＮｏ＝３／スロットＮｏ＝４」を生成する。この警報キー情報は、ディスプレイ５０ａに示すように、ＭＥＩＤ＝１が第１ＮＥ４１を表し、ユニットＮｏ＝３が第３〜第６ＮＥ４３〜４６を表し、スロットＮｏ＝４が第６ＮＥ４６のパッケージｐ１２を表す。
【００６０】
このように定義ファイル部３３で生成された警報キー情報は、ステップＳ１５において、矢印Ｙ３４で示すように、装置ＩＦ部３２を介して共通部３１へ送出され、更に矢印Ｙ３５で示すように、共通部３１から端末機５０へ通知される。ステップＳ１６において、端末機５０は、ディスプレイ５０ａに警報キー情報で示される警報特定部位を表示する。即ち、警報キー情報が「ＭＥＩＤ＝１／ユニットＮｏ＝３／スロットＮｏ＝４」なので、ディスプレイ５０ａにおいて、第６ＮＥ４６のパッケージｐ１２に障害が発生したことが表示される。
【００６１】
＜第１実施形態の効果＞
以上説明したように、本実施形態の端末機５０で複数のＮＥ４１〜４６の監視及び制御を行う装置監視制御システム２０を、次のような特徴構成とした。
（１）複数のＮＥ４１〜４６の内の１つを代表ＮＥとし、当該代表ＮＥ内に、ＮＥ４１〜４６の１又は複数を１ユニットｕ単位として包括（管理）し、この包括されたユニットｕ毎に、ネットワーク装置の所定処理を行うパッケージｐを１又は複数包括する構成管理情報を備える監視制御装置３０を備える構成とした。更に、監視制御装置３０が、端末機５０からＮＥ４１〜４６を制御する制御オーダ情報が共通部３１へ通知された際に、当該制御オーダ情報の制御内容と構成管理情報とをもとに、制御先ＮＥ４１〜４６、及び、当該ＮＥ４１〜４６内の制御対象である部位を特定し、制御先ＮＥ４１〜４６に制御命令を行なう制御コマンドを生成し、制御先ＮＥ４１〜４６へ通知するようにした。
【００６２】
この構成によれば、複数の管理対象ＮＥ４１〜４６間に従属関係がある場合、これら複数のＮＥ４１〜４６を、１つの代表ＮＥ４１と当該代表ＮＥ４１内の仮想的なユニットｕ、パッケージｐとして一元管理できる。このため、ＮＥ装置間に従属関係がある場合でもそれら従属関係を意識した処理ロジックやデータ管理に関する開発は不要であり、一般的な装置・ユニット・パッケージ構成管理により複数の従属関係を持った装置を一元管理可能である。このため、従属関係のある複数のＮＥ４１〜４６の管理を、オペレータ負担の増大、及び開発費や開発期間の増大無しに実現することができる。
【００６３】
（２）端末機５０は、情報を表示するディスプレイ５０ａを備え、当該ディスプレイ５０ａに、監視制御装置３０で構築される代表ＮＥ４１を、当該代表ＮＥ４１に包括されるユニットｕ及びパッケージｐと共に表示するようにした。
【００６４】
これによって、端末機５０のディスプレイ５０ａに、複数のＮＥ４１〜４６間の従属関係が、ＮＥ、ユニット及びパッケージの従属関係として一元的に表示される。このため、オペレータが、異なるベンダのＮＥ４１〜４６や当該ＮＥ４１〜４６の通信等の処理装置の登録や改変操作を容易に行なうことができる。
【００６５】
（３）監視制御装置３０は、複数のＮＥ４１〜４６から当該ＮＥ４１〜４６の障害や状態変化を示す警報やイベントを示す警報情報が代表ＮＥ４１を介して通知又は直接通知された際に、当該警報情報で示される障害やイベント発生部位を構成管理情報を基に表示情報に変換して端末機５０へ通知する。端末機５０は、その通知された表示情報で示されるＮＥ４１〜４６の障害発生部位をディスプレイ５０ａに表示するようにした。
【００６６】
これによって、オペレータが、障害や状態変化イベントの発生したＮＥ４１〜４６ややパッケージｐを容易に特定することができる。
【００６７】
（４）監視制御装置３０は、代表ＮＥ４１へ制御コマンドを送信し、代表ＮＥ４１は、送信された制御コマンドを受信後にこの制御コマンドを、代表ＮＥ４１に従属された制御先ＮＥ（例えばＮＥ４２）へ通知する。
【００６８】
これによって、オペレータによる端末機５０からの制御操作による制御オーダ情報に応じて、制御先ＮＥ４２へ制御命令を行う制御コマンドを、従属関係情報で示される代表ＮＥ４１を経由して制御先ＮＥ４２へ適正に通知することができる。制御先ＮＥ４２は、制御コマンドに応じた処理を行うことができる。なお、上記送信された制御コマンドを受信後の代表ＮＥ４１が、制御先ＮＥ４２を任意の制御ＩＦで制御する形態であっても、制御先ＮＥ４２が制御コマンドと同様の処理を行うことができる。
【００６９】
＜第２実施形態の構成＞
図９は、本発明の第２実施形態に係る装置監視制御システムの構成を示すブロック図である。
図９に示す第２実施形態の装置監視制御システム２０Ａが、第１実施形態と異なる点は、監視制御装置３０Ａの装置ＩＦ部３２Ａに制御先判断部３２ｂを設け、この制御先判断部３２ｂで判断された制御先のＮＥ４１〜４６へ直接、制御コマンドを送信するようにしたことにある。
【００７０】
制御先判断部３２ｂは、共通部３１から通知される制御先内容データ「ＭＥＩＤ／ユニットＮｏ／スロットＮｏ」、及び、装置管理リストから制御先ＮＥを判断する。なお、装置管理リストは制御先内容データの内、装置を特定する情報と宛先アドレス（ＩＰアドレス等）の対応テーブルであり、装置ＩＦ部３２Ａが管理する。
【００７１】
装置ＩＦ部３２Ａは、その判断された制御先ＮＥへ制御コマンドを直接送信する。この制御コマンドが通知された制御先ＮＥは、制御コマンドに含まれる制御内容情報、例えば、ＮＥのスロットｓｔにパッケージｐを登録するといった制御内容情報を実行する。
【００７２】
＜第２実施形態の制御動作＞
装置監視制御システム２０Ａによる各ＮＥ４１〜４６の制御の動作を、図９を参照して説明する。但し、ディスプレイ５０ａには、第１〜第６ＮＥ４１〜４６のユニットｕ１〜ｕ３と、スロットｓｔ１〜ｓｔ４及びパッケージｐ１〜ｐ１２の従属関係情報に基づく代表ＮＥ４１の従属関係の構成内容が、一元的に表示されているとする。
【００７３】
端末機５０が、第２ＮＥ４２である第２ユニットｕ２のスロットｓｔ１を選択してパッケージｐ５を登録する操作をオペレータから受け付けたとする。この操作に応じた制御オーダ情報は、矢印Ｙ４１で示すように監視制御装置３０Ａの共通部３１に通知される。共通部３１は、制御オーダ情報の内容に対応する制御キー情報を生成する。この制御キー情報は、第２ＮＥ４２のスロットｓｔ１にパッケージｐ５を登録する制御内容情報と、制御先ＮＥ部位を示す制御先内容データ「ＭＥＩＤ＝１／ユニットＮｏ＝２／スロットＮｏ＝１」とから成る。本対応関係は、構成管理情報として管理される。
【００７４】
共通部３１で生成された制御キー情報は、矢印Ｙ４２で示すように、装置ＩＦ部３２Ａを介して定義ファイル部３３へ通知され、定義ファイル部３３で対応テーブル３３ａの参照により、制御対象装置、及び、当該装置内の制御対象部位を特定するとともに、制御キー情報に対応付けられた制御コマンドが生成される。この場合、制御コマンドは、第２ＮＥ４２のスロットｓｔ１にパッケージｐ５を登録することを命令する制御内容情報とを含むものとなる。制御コマンドは、矢印Ｙ４３で示すように装置ＩＦ部３２Ａへ出力される。
【００７５】
装置ＩＦ部３２Ａの制御先判断部３２ｂは、共通部３１から通知された制御先内容データ「ＭＥＩＤ＝１／ユニットＮｏ＝２／スロットＮｏ＝１」、及び、装置管理リストから制御先がＮＥ４２であること、及びＮＥ４２の宛先アドレスを判断する。装置ＩＦ部３２Ａは、矢印Ｙ４４で示すように、その判断した制御先ＮＥ４２の宛先アドレスへ、直接、制御コマンドを通知する。そして、制御先ＮＥ４２が、制御コマンドで命令される制御内容情報の処理を実行する。即ち、自ＮＥ４２のスロットｓｔ１にパッケージｐ５を登録する処理を実行する。なお、装置ＩＦ部３２Ａから制御コマンドを直接、制御先ＮＥ４２へ通知する場合、制御先ＮＥ４２の入出力側に備えられた図示せぬ制御ＩＦを介して行なう。
【００７６】
＜第２実施形態の監視動作＞
次に、装置監視制御システム２０Ａによる各ＮＥ４１〜４６の監視の動作を、図１０に示すブロック図を参照して説明する。但し、ディスプレイ５０ａには、第１〜第６ＮＥ４１〜４６のユニットｕ１〜ｕ３と、スロットｓｔ１〜ｓｔ４及びパッケージｐ１〜ｐ１２の従属関係情報に基づく代表ＮＥ４１の従属関係の構成内容が、一元的に表示されているとする。
【００７７】
図１０に示す第６ＮＥ４６のパッケージｐ１２に障害が発生した場合、警報発生ＮＥ４６は、矢印Ｙ５１で示すように、自装置の障害発生を示す警報デバイスＩＤ＝ｐ１２を含む警報情報を直接装置ＩＦ部３２Ａへ送信する。この送信された警報デバイスＩＤ＝ｐ１２は、装置ＩＦ部３２Ａから矢印Ｙ５２で示すように定義ファイル部３３へ通知される。なお、警報発生ＮＥ４６から警報デバイスＩＤ＝ｐ１２を装置ＩＦ部３２Ａへ送信する場合、警報発生ＮＥ４６の入出力側に図示せぬ監視ＩＦを備え、この監視ＩＦを経由して行なう。
【００７８】
以降の処理は第１実施形態と同様である。即ち、定義ファイル部３３で警報デバイスＩＤ＝ｐ１２に対応付けられた警報キー情報「ＭＥＩＤ＝１／ユニットＮｏ＝３／スロットＮｏ＝４」が生成されて、矢印Ｙ５３，Ｙ５４で示すように共通部３１を介して端末機５０へ通知され、ディスプレイ５０ａに第６ＮＥ４６のパッケージｐ１２に障害が発生したことが表示される。
【００７９】
＜第２実施形態の効果＞
以上説明したように、本実施形態の端末機５０で複数のＮＥ４１〜４６の監視及び制御を行う装置監視制御システム２０Ａを、次の（１）のような特徴構成とした。
監視制御装置３０Ａは、制御先内容データと装置管理リストとをもとに、代表ＮＥに従属するユニット又はスロットに対応する制御先ＮＥ（例えばＮＥ４６）を判断し、この判断されたＮＥ４６へ、制御コマンドを直接通知するようにした。
【００８０】
この構成によれば、オペレータによる端末機５０からの制御操作による制御オーダ情報に応じて、制御先ＮＥ４６へ制御命令を行う制御コマンドを、制御先内容の従属関係情報で示される代表ＮＥ４１に従属するＮＥ４６へ直接通知することができる。このため通知経路の単純化等を図ることができる。制御先ＮＥ４６は、制御コマンドに応じた処理を行うことができる。
【００８１】
その他、具体的な構成について、本発明の主旨を逸脱しない範囲で適宜変更が可能である。
【符号の説明】
【００８２】
２０，２０Ａ  装置監視制御システム
３０，３０Ａ  監視制御装置
３１  共通部
３２，３２Ａ  装置ＩＦ
３２ｂ  制御先判断部
３３  定義ファイル部
３３ａ  対応テーブル
４１〜４６  第１〜第６ＮＥ（ネットワーク装置）
５０  端末機
５０ａ  ディスプレイ
ｕ  ユニット
ｐ，ｐ１〜ｐ１２  パッケージ
ｓｔ１〜ｓｔ４  スロット
【図１】
0006438900.tif 000002
【図２】
0006438900.tif 000003
【図３】
0006438900.tif 000004
【図４】
0006438900.tif 000005
【図５】
0006438900.tif 000006
【図６】
0006438900.tif 000007
【図７】
0006438900.tif 000008
【図８】
0006438900.tif 000009
【図９】
0006438900.tif 000010
【図１０】
0006438900.tif 000011
【図１１】
0006438900.tif 000012
【図１２】
0006438900.tif 000013